(57)【特許請求の範囲】
【請求項１】
機器を識別するための識別情報を生成するとともに生成した識別情報を出力する出力手段と、パスワード入力手段及び入力されたパスワードを出力する手段と、データ記憶装置とを有するネットワークに接続された多機能電子機器と、
前記多機能電子機器が出力する少なくとも識別情報を受信し、受信した識別情報を送信する送信手段を有する補助機器と、
前記補助機器により送信される識別情報を受信し、受信した識別情報を出力する出力手段を有する送信側補助機器と、
前記送信側補助機器が出力する識別情報を受信し、前記ネットワークを介して当該識別情報によって識別される前記多機能電子機器と通信接続を確立し、通信接続が確立した前記多機能電子機器へデータを送信する送信装置とからなり、
前記多機能電子機器は、前記送信装置から送信されたデータを前記データ記憶装置に記憶し、前記パスワード入力手段を介してパスワードが入力されることにより前記記憶手段に記憶されたデータを出力することを特徴とするデータ通信システム。
【請求項２】
機器を識別するための識別情報を生成するとともに生成した識別情報を出力する出力手段と、パスワード入力手段及び入力されたパスワードを出力する手段とを有するネットワークに接続された多機能電子機器と、
前記多機能電子機器が出力する識別情報及びパスワードを受信し、受信した当該識別情報及びパスワードを送信する送信手段を有する補助機器と、
前記補助機器により送信される識別情報及びパスワードを受信し、受信した識別情報及びパスワードを出力する出力手段を有する受信側補助機器と、
前記受信側補助機器が出力する識別情報及びパスワードを受信し、前記ネットワークを介して当該識別情報によって識別される前記多機能電子機器と通信接続を確立し、
前記多機能電子機器は、通信接続の確立により、前記受信装置にデータを送信し、前記受信装置は送信された前記データを記憶し、前記パスワードが入力されることにより記憶された前記データを出力することを特徴とするデータ通信システム。
【請求項３】
前記送信装置は、多機能電子機器であることを特徴とする請求項１に記載のデータ通信システム。
【請求項４】
前記受信装置は、多機能電子機器であることを特徴とする請求項２に記載のデータ通信システム。
【請求項５】
前記多機能電子機器及び送信側補助機器は、前記少なくとも前記識別情報を表示パネルに表示することにより出力し、
前記補助機器及び送信装置は、前記表示パネルに表示された識別情報を読取ることにより前記識別情報を受信することを特徴とする請求項１に記載のデータ通信システム。
【請求項６】
前記多機能電子機器及び受信側補助機器は、前記識別情報及びパスワードを表示パネルに表示することにより出力し、
前記補助機器及び受信装置は、前記表示パネルに表示された識別情報及びパスワードを読取ることにより前記識別情報及びパスワードを受信することを特徴とする請求項２に記載のデータ通信システム。
【請求項７】
前記多機能電子機器は、通信接続確立後、ユーザによって指定された課金の支払比率を前記送信装置に送信し、
前記送信装置は、前記多機能電子機器のユーザが指定した前記課金の支払比率を前記送信装置のユーザが承諾した場合、データを送信することを特徴とする請求項１に記載のデータ通信システム。
【請求項８】
前記多機能電子機器は、通信接続確立後、ユーザによって指定された課金の支払比率を前記受信装置に送信し、
前記受信装置は、送信された前記課金の支払比率についてのユーザの応答情報を送信し、
前記応答情報が前記課金の支払い比率に承諾した旨の情報を含む場合、前記多機能電子機器がデータを送信することを特徴とする請求項２に記載のデータ通信システム。
【請求項９】
前記多機能電子機器は、少なくとも原稿読取機能又は画像形成機能の何れかを有していることを特徴とする請求項１〜４の何れかに記載のデータ通信システム。
【発明の詳細な説明】
【技術分野】
【０００１】
本発明はネットワークに接続されている複合機能周辺機器（ＭＦＰ）のような多機能電子機器を用いたデータ通信システムに関する。
【背景技術】
【０００２】
近年コンビニエンスストアなどに、コピー機能，ＦＡＸ機能，スキャナ機能，プリンタ機能などの複合機能を有する多機能電子機器（ＭＦＰ）がネットワークに接続されて設置されている。
これらの多機能電子機器は不特定の人がたまに使用することが多いので、誰でも簡単に操作することができるように、操作方法の簡便化が図られ、簡単な操作で多機能電子機器を使用する操作手法が提案されている
【０００３】
第１の従来技術として、携帯電話機から画像形成装置の操作を可能にした画像形成装置の操作システムがある。この画像形成装置の操作システムは、ブルートゥースと呼ばれる近距離無線データ通信手段を、画像形成装置および携帯電話機のそれぞれに設けることによって、両者間での通信を可能にして、この携帯電話機を利用して画像形成装置の操作を可能にしたものである。画像形成装置の操作部のキー配置あるいは操作方法が相違しても、画像形成装置のユーザが所有する携帯電話機でこの画像形成装置を操作することができるので、画像形成装置の操作が容易になる（例えば特許文献１参照）。
【０００４】
また、第２の従来技術として、携帯電話機を利用してユーザ認証を行う画像形成装置がある。この画像形成装置は、携帯電話機等の携帯端末と無線通信することによって、携帯端末からユーザ名および識別ＩＤを取得してユーザ認証するものである。ユーザに対して、印刷する度にユーザ名および識別ＩＤの入力作業を強いることなくユーザ認証が可能となる（たとえば特許文献２参照）。
【０００５】
また、第３の従来技術として、識別コードを撮像した画像を用いる認証装置がある。この認証装置は、バーコード等の識別コードをデジタルカメラ等で撮像し、撮像した識別コードを識別コード解読装置に送信し、送信された識別コードが登録されているか否かを判定することによりユーザ認証を行うものである。高額なバーコードリーダを用いることなくユーザ認証を行うことができるので、来客数の少ない店舗等でも識別コードを用いたユーザ認証を実施することができる（たとえば特許文献３参照）。
【特許文献１】特開２００３−１０７９６２号公報
【特許文献２】特開２００３−９４７７７号公報
【特許文献３】特開２００４−２９７４４０号公報
【発明の開示】
【発明が解決しようとする課題】
【０００６】
第１の従来技術は、単一の携帯電話機の操作部から画像形成装置を操作するものである。また、第２の従来技術は、携帯端末からユーザ名および識別ＩＤを取得してユーザ認証するものである。また、第３の従来技術は、デジタルカメラ等で撮像されたバーコード等の識別コードによってユーザ認証を行うものである。
【０００７】
いずれの従来技術もユーザの負担を減らし、ユーザが電子機器を容易に操作するために提案されたものである。ところが、近年のコピー機、特に多機能電子機器は、多機能化が進み、一台の多機能電子機器を単独で使用するのではなく、複数の多機能電子機器をインターネット等を介しネットワーク接続して使用する形態が一般的になりつつある。
【０００８】
しかし、前述したように、ネットワーク接続された多機能電子機器の機能を十分に活用するためにネットワーク通信機能を利用することは不可欠であるが、前記３つの従来技術ではいずれも遠距離通信時の操作性の向上については開示していない。例えば、多機能電子機器Ｘでスキャンしたデータを遠隔地にある多機能電子機器Ｙに送信し、送信したデータをこの多機能電子機器Ｙで印刷する場合、送信先の多機能電子機器Ｙのネットワークアドレスをユーザが多機能電子機器Ｘに入力しなければならない。しかし、この入力作業は煩雑であるため、入力間違え等が頻繁に発生する。
【０００９】
そのため、各多機能電子機器間でネットワーク通信を行う場合には、ネットワーク接続をする際に行わなければならない操作を簡便化する必要性が大きくなっている。そこで、この入力作業を簡便化する必要があるが、前記３つの従来技術ではいずれも遠距離通信時の操作性の向上については開示していない。
【００１０】
本発明は、かかる実情に鑑みてなされたものであり、多くのコンビニエンスストアなどに設置されたコピー機に代表されるネットワークに接続された多機能電子機器を利用してユーザが簡単な操作で、ネットワークを介してデータ送受信を行う送受信装置として活用できるデータ通信の操作システムを提供することを目的とする。
【課題を解決するための手段】
【００１１】
第１の技術手段は、機器を識別するための識別情報を生成するとともに生成した識別情報を出力する出力手段と、パスワード入力手段及び入力されたパスワードを出力する手段と、データ記憶装置とを有するネットワークに接続された多機能電子機器と、前記多機能電子機器が出力する少なくとも識別情報を受信し、受信した識別情報を送信する送信手段を有する補助機器と、前記補助機器により送信される識別情報を受信し、受信した識別情報を出力する出力手段を有する送信側補助機器と、前記送信側補助機器が出力する識別情報を受信し、前記ネットワークを介して当該識別情報によって識別される前記多機能電子機器と通信接続を確立し、通信接続が確立した前記多機能電子機器へデータを送信する送信装置とからなり、前記多機能電子機器は、前記送信装置から送信されたデータを前記データ記憶装置に記憶し、前記パスワード入力手段を介してパスワードが入力されることにより前記記憶手段に記憶されたデータを出力することを特徴とするものである。
【００１２】
第２の技術手段は、機器を識別するための識別情報を生成するとともに生成した識別情報を出力する出力手段と、パスワード入力手段及び入力されたパスワードを出力する手段とを有するネットワークに接続された多機能電子機器と、前記多機能電子機器が出力する識別情報及びパスワードを受信し、受信した当該識別情報及びパスワードを送信する送信手段を有する補助機器と、前記補助機器により送信される識別情報及びパスワードを受信し、受信した識別情報及びパスワードを出力する出力手段を有する受信側補助機器と、前記受信側補助機器が出力する識別情報及びパスワードを受信し、前記ネットワークを介して当該識別情報によって識別される前記多機能電子機器と通信接続を確立し、前記多機能電子機器は、通信接続の確立により、前記受信装置にデータを送信し、前記受信装置は送信された前記データを記憶し、前記パスワードが入力されることにより記憶された前記データを出力することを特徴とするものである。
【００１４】
第３の技術手段は、第１の技術手段において、前記送信装置は、多機能電子機器であることを特徴とするものである。
【００１６】
第４の技術手段は、第２の技術手段において、前記受信装置は、多機能電子機器であることを特徴とするものである。
【００１７】
第５の技術手段は、第１の技術手段において、前記多機能電子機器及び送信側補助機器は、前記少なくとも前記識別情報を表示パネルに表示することにより出力し、前記補助機器及び送信装置は、前記表示パネルに表示された識別情報を読取ることにより前記識別情報を受信することを特徴とするものである。
【００１８】
第６の技術手段は、第２の技術手段において、前記多機能電子機器及び受信側補助機器は、前記識別情報及びパスワードを表示パネルに表示することにより出力し、前記補助機器及び受信装置は、前記表示パネルに表示された識別情報及びパスワードを読取ることにより前記識別情報及びパスワードを受信することを特徴とするものである。
【００２３】
第７の技術手段は、第１の技術手段において、前記多機能電子機器は、通信接続確立後、ユーザによって指定された課金の支払比率を前記送信装置に送信し、前記送信装置は、前記多機能電子機器のユーザが指定した前記課金の支払比率を前記送信装置のユーザが承諾した場合、データを送信することを特徴とするものである。
【００２４】
第８の技術手段は、第１の技術手段において、前記多機能電子機器は、通信接続確立後、ユーザによって指定された課金の支払比率を前記受信装置に送信し、前記受信装置は、送信された前記課金の支払比率についてのユーザの応答情報を送信し、前記応答情報が前記課金の支払い比率に承諾した旨の情報を含む場合、前記多機能電子機器がデータを送信することを特徴とするものである。
【００２５】
第３の技術手段は、第１〜４の何れかの技術手段において、前記多機能電子機器は、少なくとも原稿読取機能又は画像形成機能の何れかを有していることを特徴とするものである。
【発明の効果】
【００２６】
本発明によれば、多くのコンビニエンスストアなどに設置されたコピー機に代表されるネットワークに接続された多機能電子機器を利用してユーザが簡単な操作でデータの送受信を実行することができる。
【００２７】
また本発明によれば、受信したデータを出力する際のパスワードをユーザが設定できるので、受信したデータを第三者が無断で閲覧又は出力することを防ぐことができる。
【００２８】
また本発明によれば、受信データを画像形成装置を利用して印刷するか電子データとして記憶媒体に記憶するかをユーザが指定することができる。
【００２９】
また本発明によれば、通信料金，コピー料金等の各種料金を多機能電子機器のユーザ（または多機能電子機器の通信先のユーザ）が全額支払う、または、各ユーザの支払い比率をユーザが指定することができる。
【発明を実施するための最良の形態】
【００３０】
図１は、本発明が適用されるデータ通信システムのネットワーク図である。図１に示したように、多機能電子機器Ａ，送信装置Ｂ，受信装置Ｃがインターネットなどのネットワークを介して接続している。また、補助機器ａ，送信側補助機器ｂ，受信側補助機器ｃは、それぞれ多機能電子機器Ａ，送信装置Ｂ，受信装置Ｃを操作するために使用される機器である。
実施例１では、多機能電子機器を受信装置として使用し、当該機器のネットワークアドレスを送信装置に設定し、データの送受信を行う例について説明する。
（実施例１）
図２は、上記実施例のデータ通信システムを説明するためのブロック図である。
このデータ通信システムは、ＭＦＰ等の多機能電子機器Ａ、サーバ，ＰＣ等の送信装置Ｂ、及び、携帯電話機，ＰＤＡ（Ｐｅｒｓｏｎａｌ  Ｄｉｇｉｔａｌ  Ａｓｓｉｓｔａｎｔ）等の補助機器ａ，送信側補助機器ｂ等を有する。
【００３１】
多機能電子機器Ａは、識別情報生成手段１ａを含む制御手段１、識別情報を出力する識別情報出力手段２、パスワードを入力するパスワード入力手段３、パスワードを受信するパスワード受信手段４、パスワードを出力するパスワード出力手段５、通信回線，インターネット等のネットワークを介して他の電子機器と通信を行う通信手段１１、印刷機能，コピー機能を有する画像形成装置１２ａ、受信したデータ等を記録するデータ記録用メモリ１３、フラッシュメモリ等の記憶媒体１５と着脱自在に接続することが可能な記憶媒体接続部１４等により構成される。
【００３２】
識別情報生成手段１ａは、多機能電子機器Ａのネットワークアドレス（例えばＩＰアドレス，ＵＲＬ等）を含む識別情報（例えばＱＲコード：Ｑｕｉｃｋ  Ｒｅｓｐｏｎｓｅ  Ｃｏｄｅ）を生成する。
【００３３】
識別情報出力手段２は、識別情報生成手段１ａが生成した識別情報を液晶パネル等に出力する。
【００３４】
なお、識別情報出力手段２は、液晶パネル等の表示装置，赤外線ＬＥＤ等によって構成される。識別情報出力手段２を赤外線ＬＥＤにより構成した場合には、識別情報を赤外線によって出力する。
【００３５】
パスワード入力手段３は、受信したデータに第三者が無断でアクセスできないようにするためにユーザが設定するパスワードを入力する手段である。
【００３６】
なお、パスワード入力手段３は、タッチパネル，キーボード等によって構成される。また、パスワードは補助機器のテンキー等の操作部（図示しない）を利用して入力することもできる。
【００３７】
パスワード受信手段４は、後述する補助機器のパスワード出力手段２５が出力したパスワードを受信する。
【００３８】
なお、パスワード受信手段４は、デジタルカメラ，赤外線センサ等によって構成される。デジタルカメラによりパスワード受信手段４を構成した場合には、後述する補助機器のパスワード出力手段２５が液晶パネル等に表示したパスワードをこのデジタルカメラにより撮像することによりパスワードを受信する。また、赤外線センサによりパスワード受信手段４を構成した場合には、同パスワード出力手段２５が赤外線ＬＥＤを介して出力したパスワードをこの赤外線センサを介して受信する。
【００３９】
パスワード出力手段５は、パスワード入力手段３を介して入力されたパスワードを液晶パネル等に出力する。なお、識別情報出力手段２と同様に、パスワード出力手段５は、液晶パネル等の表示装置，赤外線ＬＥＤ等によって構成される。パスワード出力手段５を赤外線ＬＥＤにより構成した場合には、パスワードを赤外線によって出力する。
【００４０】
制御手段１は、図示しないＣＰＵと半導体メモリ等の記憶装置によって構成され、記憶装置に記憶されたプログラムをＣＰＵが実行することによって、識別情報生成手段１ａ，識別情報出力手段２，パスワード入力手段３，パスワード受信手段４，パスワード出力手段５，通信手段１１，画像形成装置１２ａ，データ記録用メモリ１３，記憶媒体接続部１４等を制御する。
また、多機能電子機器がＭＦＰであれば、制御手段１は、別途液晶タッチパネル等を介して操作される処理、例えばコピー，プリント，スキャン，ファクシミリ送信，あるいは電子メール送信等の各種処理を制御する。
【００４１】
送信装置Ｂは、ネットワークアドレス抽出手段１ｂを含む制御手段１、前述した識別情報を受信する識別情報受信手段６、通信手段１１、スキャナ等の画像読取装置１２ｂ、記憶媒体接続部１４、記憶媒体１５、これら機能ブロックを制御する制御手段１等によって構成される。
【００４２】
ネットワークアドレス抽出手段１ｂは、識別情報受信手段６を介して受信した識別情報から多機能電子機器Ａのネットワークアドレスを抽出する。
【００４３】
識別情報受信手段６は、後述する送信側補助機器の識別情報出力手段２２が出力したＱＲコード等の識別情報を受信する。
【００４４】
なお、識別情報受信手段６は、デジタルカメラ，赤外線センサ等によって構成される。デジタルカメラにより識別情報受信手段６を構成した場合には、後述する補助機器の識別情報出力手段２２が液晶パネルに表示した識別情報をこのデジタルカメラにより撮像することにより受信する。また、赤外線センサにより識別情報受信手段６を構成した場合には、同識別情報出力手段２２が赤外線ＬＥＤを介して出力した識別情報をこの赤外線センサを介して受信する。
【００４５】
制御手段１は、ネットワークアドレス抽出手段１ｂを含み、多機能電子機器Ａの制御手段と同様に各機能ブロックを制御する。
【００４６】
補助機器ａは、パスワードを受信するパスワード受信手段２４、パスワードを出力するパスワード出力手段２５、識別情報を受信する識別情報受信手段２６、送信側の補助機器ｂと無線・電話回線等を介して通信を行う通信手段３１、これら機能ブロックを制御する制御手段２１等によって構成される。
【００４７】
パスワード受信手段２４は、多機能電子機器のパスワード出力手段５が出力したパスワードを受信し、図示しないメモリに記憶する。
【００４８】
なお、パスワード受信手段２４は、デジタルカメラ，赤外線センサ等によって構成される。デジタルカメラによりパスワード受信手段２４を構成した場合には、パスワード出力手段５が液晶パネルに表示したパスワードをこのデジタルカメラにより撮像することによりパスワードを受信する。また、赤外線センサによりパスワード受信手段２４を構成した場合には、パスワード出力手段５が赤外線ＬＥＤを介して出力したパスワードをこの赤外線センサを介して受信する。
【００４９】
パスワード出力手段２５は、図示しないメモリに記憶されたパスワードを液晶パネル等に出力する。
【００５０】
なお、パスワード出力手段２５は、液晶パネル等の表示装置，赤外線ＬＥＤ等によって構成される。パスワード出力手段２５を赤外線ＬＥＤにより構成した場合には、パスワードを赤外線によって出力する。
【００５１】
識別情報受信手段２６は、多機能電子機器の識別情報出力手段２が出力した当該多機能電子機器の識別情報を受信し、受信した識別情報を図示しないメモリに記憶する。
【００５２】
なお、識別情報受信手段２６は、デジタルカメラ，赤外線センサ等によって構成される。デジタルカメラにより識別情報受信手段２６を構成した場合には、識別情報出力手段２が液晶パネルに表示した識別情報をこのデジタルカメラにより撮像することにより受信する。また、赤外線センサにより識別情報受信手段２６を構成した場合には、識別情報出力手段２が赤外線ＬＥＤを介して出力した識別情報をこの赤外線センサを介して受信する。
【００５３】
送信側補助機器ｂは、補助機器ａから通信手段３１を介して受信した識別情報を出力する識別情報出力手段２２、これら機能ブロックを制御する制御手段２１等によって構成される。
【００５４】
なお、識別情報出力手段２２は、液晶パネル等の表示装置、赤外線ＬＥＤ等によって構成される。識別情報出力手段２２を赤外線ＬＥＤにより構成した場合には、識別情報を赤外線によって出力する。
【００５５】
図３は、本実施例によりデータの送受信を行う処理を説明するためのフロー図である。
【００５６】
Ｓ１０１で、多機能電子機器Ａの識別情報生成手段１ａが、当該機器のネットワークアドレス（ＩＰアドレス等）を含むＱＲコード等の識別情報を生成し、生成した識別情報を識別情報出力手段２の液晶パネル等に出力する（識別情報表示）。
【００５７】
Ｓ１０２で、多機能電子機器Ａのユーザは、補助機器ａを操作し、多機能電子機器Ａの液晶パネルに表示された識別情報を識別情報受信手段２６を介して受信し（識別情報読み取り）、Ｓ１０３で、受信した識別情報を通信手段３１を介して送信側補助機器ｂに送信する（識別情報送信）。
【００５８】
次に、Ｓ１０４で、送信装置Ｂのユーザは、送信側補助機器ｂを操作して補助機器ａが送信した識別情報を受信し（識別情報受信）、Ｓ１０５で、この受信した識別情報を送信側補助機器ｂの識別情報出力手段２２を介して液晶パネル等に出力する（識別情報表示）。
【００５９】
次に、Ｓ１０６で、送信装置Ｂは、送信側補助機器ｂの識別情報出力手段２２が出力した識別情報を識別情報受信手段６を用いて受信し（識別情報の読み取り）、Ｓ１０７で、ネットワークアドレス抽出手段１ｂは、受信した識別情報から多機能電子機器Ａのネットワークアドレス（ＩＰアドレス等）を抽出し、制御手段１は、抽出した多機能電子機器Ａのネットワークアドレスを参照して、通信手段１１を用いて多機能電子機器Ａに接続要求を送る（識別情報から読み取った多機能電子機器にアクセス）。
【００６０】
次に、Ｓ１０８で、多機能電子機器Ａが前記接続要求を受信し（接続要求受信）、接続要求を受け入れる旨の応答信号を送信する。この応答信号を送信装置Ｂが受信すると、Ｓ１０９で、多機能電子機器Ａ‐送信装置Ｂ間の通信が確立する（通信確立）。
【００６１】
通信確立後、Ｓ１１０で、送信装置Ｂのユーザは、送信装置Ｂの画像読取装置１２ｂで原稿を読み取るかあるいは記憶媒体１５に保存してある電子データを取り込む等により、送信用データを送信装置Ｂに入力する（送信データの読み取り）。次に、Ｓ１１１で、入力されたデータを通信手段１１を介して多機能電子機器Ａに送信する（データ送信）。
【００６２】
Ｓ１１２で、多機能電子機器Ａは、送信装置Ｂから送られてきたデータを受信すると（データ受信）、Ｓ１１３で、受信したデータをデータ記録用メモリ１３に記録し、記録したデータを画像形成装置１２ａにて印字原稿として出力するか又は記憶媒体接続部１４を介して記憶媒体１５に出力する（画像形成装置または記憶媒体に出力）。なお、どちらの出力方法をとるかはユーザが選択できる。
【００６３】
このように、例えばコンビニ等に設置された多機能電子機器を受信装置として使用することにより簡便にデータの受信をすることができる。また、データ通信を行うために必要な多機能電子機器のネットワークアドレス（ＩＰアドレス，ＵＲＬ等）を携帯電話機等の補助機器を介して送信装置に設定することができ、ユーザは直接ネットワークアドレスを設定する必要がないので、入力操作が簡便となりさらにネットワークアドレスの入力ミスもなくなる。
【００６４】
また、多機能電子機器で受信したデータを画像形成装置で印刷物として出力するか電子データとして記憶媒体に出力するかをユーザが指定することができる。
【００６５】
図４は、パスワード設定機能を付加した場合のデータ通信システムを説明するためのフロー図である。
Ｓ１２１で、多機能電子機器Ａを利用するユーザは、受信したデータに第三者が無断でアクセスできないようにするためのパスワードを多機能電子機器Ａのパスワード入力手段３を介して入力する（パスワード入力）。
【００６６】
Ｓ１２２で、多機能電子機器Ａの識別情報生成手段１ａが、ＱＲコード等の識別情報を生成し、生成した識別情報を識別情報出力手段２が液晶パネル等に出力する。同様に、Ｓ１２１でユーザが入力したパスワードをパスワード出力手段５が液晶パネル等に出力する（識別情報・パスワードの表示）。
【００６７】
次に、Ｓ１２３で、多機能電子機器Ａのユーザは、補助機器ａを操作し、多機能電子機器Ａの液晶パネルに表示された識別情報を識別情報受信手段２６を介して受信する。同様に、パスワード受信手段２４を介してパスワードを受信する（識別情報・パスワードの読み取り）。また、受信したパスワードは、補助機器ａ内のメモリ（図示しない）に記憶される。
【００６８】
次に、図３のＳ１０３〜Ｓ１１２で説明したように、多機能電子機器Ａ‐送信装置Ｂ間の通信を確立させ、送信装置Ｂが送信したデータを多機能電子機器Ａで受信し、受信したデータをデータ記録用メモリ１３に保存する（Ｓ１２４〜Ｓ１３３）。
【００６９】
次に、Ｓ１３４で、多機能電子機器Ａのユーザが、補助機器ａを操作して、補助機器ａのメモリに記憶してあるパスワードをパスワード出力手段２５を介して多機能電子機器Ａに出力すると（パスワード出力）、多機能電子機器Ａのパスワード受信手段４を介してパスワードを受信し、このパスワードが正しいパスワードなら受信したデータにアクセスすることができる。
なお、ユーザがデータ取り出し時に補助機器ａを所持していなかった場合には、パスワード入力手段３を用いて直接パスワードを入力することもできる。
【００７０】
次に、図３のＳ１１３で説明したように、データ記録用メモリ１３に保存したデータを画像形成装置１２ａにて印字原稿として出力するか又は記憶媒体１５に出力する（Ｓ１３５）。
【００７１】
このように、受信したデータに対してパスワードを設定できるので、コンビニ等に設置され不特定多数の人によって利用される多機能電子機器で受信したデータが無断で第三者にアクセスされることを防止できる。
【００７２】
また、受信したデータにアクセスするのに必要となるパスワードを補助機器を操作して入力することができるので、パスワードの入力が簡易になるだけでなく、設定したパスワードをユーザが記憶する必要もなくなり、利便性が向上する。
【００７３】
図５は、ユーザが支払う多機能電子機器及び送信装置の使用料金の支払い比率指定機能を付加した場合のデータ通信システムを説明するためのフロー図である。
図３のＳ１０１〜Ｓ１０９で説明したように、多機能電子機器Ａ‐送信装置Ｂ間の通信が確立すると（Ｓ１４１〜Ｓ１４９）、Ｓ１５０で、多機能電子機器Ａのユーザは、液晶パネル等を利用して支払い比率の指定を行う（支払い比率指定）。指定された支払い比率に関するデータが送信装置Ｂに転送され、送信装置Ｂのユーザが指定された支払い比率に対して同意（承諾）した場合、図３のＳ１１０，Ｓ１１１で説明したように、送信装置Ｂのユーザは、送信装置Ｂから多機能電子機器Ａへデータを送信する（Ｓ１５１，Ｓ１５２）。なお、支払い比率に対して同意（承諾）しない場合には、データを送信しない。
【００７４】
その後、図３のＳ１１２，Ｓ１１３で説明したように、多機能電子機器Ａで受信データの出力処理を行う（Ｓ１５３，Ｓ１５４）。また、多機能電子機器Ａのユーザはデータ出力後、送信装置Ｂのユーザはデータ送信後、支払い比率に従い課金される。
【００７５】
このように、支払い比率をユーザが指定することができるため、電子機器を使用するユーザの利便性が向上する。
【００７６】
実施例１では、多機能電子機器を受信装置として使用する場合について説明したが、実施例２では、多機能電子機器を送信装置として使用し、当該機器のネットワークアドレスを受信装置に設定する例について説明する。
（実施例２）
図６は、上記実施例のデータ通信システムを説明するためのブロック図である。
【００７７】
多機能電子機器Ａは、実施例１と同様にコンビニ等に設置されている機器が使用できるが、識別情報生成手段１ａを含む制御手段１、識別情報出力手段２、パスワード入力手段３、パスワード出力手段５、通信手段１１、画像読取装置１２ｂ、記憶媒体接続部１４、記憶媒体１５、これら機能ブロックを制御する制御手段１等を備えていることが必要である。
【００７８】
受信装置Ｃは、パスワード入力手段３、パスワード受信手段４、識別情報受信手段６、通信手段１１、画像形成装置１２ａ、記憶媒体１５と着脱自在に接続することが可能な記憶媒体接続部１４、これら機能ブロックを制御する制御手段１等を備えていることが必要である。
【００７９】
補助機器ａは、パスワード受信手段２４、識別情報受信手段２６、通信手段３１、これら機能ブロックを制御する制御手段２１等を備えている。
【００８０】
受信側補助機器ｃは、識別情報出力手段２２、パスワード出力手段２５、これら機能ブロックを制御する制御手段２１等を備えている。
【００８１】
また、それぞれのブロックの機能は実施例１で説明した対応するブロックの機能と同一である。
【００８２】
図７は、実施例２によりデータの送受信を行う処理を説明するためのフロー図である。
【００８３】
Ｓ２０１で、多機能電子機器Ａの識別情報生成手段１ａが、当該機器のネットワークアドレス（ＩＰアドレス等）を含むＱＲコード等の識別情報を生成し、生成した識別情報を識別情報出力手段２が液晶パネル等に出力する（識別情報表示）。
【００８４】
Ｓ２０２で、多機能電子機器Ａのユーザは、補助機器ａを操作し、多機能電子機器Ａの液晶パネルに表示された識別情報を識別情報受信手段２６を介して受信し（識別情報読み取り）、Ｓ２０３で、受信した識別情報を通信手段３１を介して受信側補助機器ｃに送信する（識別情報送信）。
【００８５】
次に、Ｓ２０４で、受信装置Ｃのユーザは、受信側補助機器ｃを操作して補助機器ａが送信した識別情報を受信し（識別情報受信）、Ｓ２０５で、この受信した識別情報を受信側補助機器ｃの識別情報出力手段２２を介して液晶パネル等に出力する（識別情報表示）。
【００８６】
次に、Ｓ２０６で、受信装置Ｃは、受信側補助機器ｃの識別情報出力手段２２が出力した識別情報を識別情報受信手段６を用いて受信し（識別情報の読み取り）、Ｓ２０７で、ネットワークアドレス抽出手段１ｂは、受信した識別情報から多機能電子機器Ａのネットワークアドレス（ＩＰアドレス等）を抽出し、制御手段１は、抽出した多機能電子機器Ａのネットワークアドレスを参照して、通信手段１１を用いて多機能電子機器Ａに接続要求を送る（識別情報から読み取った受信装置にアクセス）。
【００８７】
次に、Ｓ２０８で、多機能電子機器Ａが前記接続要求を受信し（接続要求受信）、接続要求を受け入れる旨の応答信号を送信する。この応答信号を受信装置Ｃが受信すると、Ｓ２０９で、多機能電子機器Ａ‐受信装置Ｃ間の通信が確立する（通信確立）。
【００８８】
通信確立後、Ｓ２１０で、多機能電子機器Ａのユーザは、多機能電子機器Ａの画像読取装置１２ｂで原稿を読み取るかあるいは記憶媒体１５に保存してある電子データを取り込む等により、送信用データを多機能電子機器Ａに入力し（送信データの読み取り）、入力したデータを通信手段１１を介して受信装置Ｃに送信する（Ｓ２１１）。
【００８９】
Ｓ２１２で、受信装置Ｃは、多機能電子機器Ａから送られてきたデータを受信すると（データ受信）、Ｓ２１３で、受信したデータをデータ記録用メモリ１３に記録し、記録したデータを画像形成装置１２ａにて印字原稿として出力するか又は記憶媒体接続部１４を介して記憶媒体１５に出力する（画像形成装置または記憶媒体に出力）。なお、どちらの出力方法をとるかはユーザが選択できる。
【００９０】
このように、データ通信を行うために必要となる多機能電子機器のネットワークアドレス（ＩＰアドレス，ＵＲＬ等）を携帯電話機等の補助機器を介して受信装置に設定することができる。そのため、ユーザが直接ネットワークアドレスを設定する必要がなくなり、入力操作が簡便となりさらにネットワークアドレスの入力ミスがなくなる。
【００９１】
また、受信装置で受信したデータを画像形成装置で印刷物として出力するか電子データとして記憶媒体に出力するかをユーザが指定することができる。
【００９２】
図８は、パスワード設定機能を付加した場合のデータ通信システムを説明するためのフロー図である。
Ｓ２２１で、多機能電子機器Ａを利用するユーザは、受信装置Ｃが受信したデータに対して第三者が無断でアクセスできないようにするためのパスワードを多機能電子機器Ａのパスワード入力手段３を介して入力する（パスワード入力）。
【００９３】
Ｓ２２２で、多機能電子機器Ａの識別情報生成手段１ａが、ＩＰアドレスを含むＱＲコード等の識別情報を生成し、生成した識別情報を識別情報出力手段２が液晶パネル等に出力する。同様に、Ｓ２２１でユーザが入力したパスワードをパスワード出力手段５が液晶パネル等に出力する（識別情報・パスワードの表示）。
【００９４】
次に、Ｓ２２３で、多機能電子機器Ａのユーザは、補助機器ａを操作し、多機能電子機器Ａの液晶パネルに表示された識別情報を識別情報受信手段２６を介して受信する。同様に、パスワード受信手段２４を介してパスワードを受信する（識別情報・パスワードの読み取り）。
【００９５】
次に、Ｓ２２４で、受信した識別情報・パスワードを通信手段３１を介して受信側補助機器ｃに送信する（識別情報・パスワード送信）。Ｓ２２５で、受信装置Ｃのユーザは、受信側補助機器ｃを操作して補助機器ａが送信した識別情報・パスワードを受信し（識別情報受信）、Ｓ２２６で、この受信した識別情報を受信側補助機器ｃの識別情報出力手段２２を介して液晶パネル等に出力する（識別情報表示）。
なお、受信したパスワードは受信側補助機器ｃ内の図示しないメモリに記憶する。
【００９６】
次に、図７のＳ２０６〜Ｓ２１２で説明したように、多機能電子機器Ａ‐受信装置Ｃ間の通信を確立させ、多機能電子機器Ａが送信したデータを受信装置Ｃで受信し、受信したデータをデータ記録用メモリ１３に記憶する（Ｓ２２７〜Ｓ２３３）。
【００９７】
次に、Ｓ２３４で、受信装置Ｃのユーザが、受信側補助機器ｃを操作して、受信側補助機器ｃのメモリに記憶してあるパスワードをパスワード出力手段２５を介して受信装置Ｃに出力すると（パスワード出力）、パスワード受信手段４を介してパスワードを受信し（パスワード受信）、このパスワードが正しいパスワードなら受信したデータにアクセスすることができる。
【００９８】
次に、図７のＳ２１３で説明したように、データ記録用メモリ１３に保存したデータを画像形成装置１２ａにて印字原稿として出力するか又は記憶媒体１５に出力する（Ｓ２３５）。
【００９９】
このように、受信したデータに対してパスワードを設定できるので、受信装置で受信したデータに無断で第三者がアクセスすることを防止できる。
【０１００】
また、多機能電子機器のユーザが、パスワードを設定し、この設定したパスワードを、受信装置のユーザが受信側補助機器を操作するだけで受信装置に入力できるため、受信装置のユーザは、パスワードが設定されていることを意識せず、受信したデータにアクセスすることができ、利便性が向上する。
【０１０１】
図９は、ユーザが支払う多機能電子機器及び受信装置の使用料金の支払い比率指定機能を付加した場合のデータ通信システムを説明するためのフロー図である。
図７のＳ２０１〜Ｓ２０９で説明したように、多機能電子機器Ａ‐受信装置Ｃ間の通信が確立すると（Ｓ２４１〜Ｓ２４９）、Ｓ２５０で、多機能電子機器Ａのユーザは、液晶パネル等を利用して支払い比率の指定を行う（支払い比率指定）。指定された支払い比率に関するデータが受信装置Ｃに転送され、受信装置Ｃのユーザが指定された支払い比率に対して同意（承諾）した場合（応答）、図７のＳ２１０，Ｓ２１１で説明したように、多機能電子機器Ａのユーザは、多機能電子機器Ａから受信装置Ｃへデータを送信する（Ｓ２５１，Ｓ２５２）。
【０１０２】
その後、図７のＳ２１２，Ｓ２１３で説明したように、受信装置Ｃで受信データの出力処理を行う（Ｓ２５３，Ｓ２５４）。また、多機能電子機器Ａのユーザはデータ送信後、受信装置Ｃのユーザはデータ出力後、支払い比率に従い課金される。
【０１０３】
このように、支払い比率をユーザが指定することができるため、電子機器を使用するユーザの利便性が向上する。
【０１０４】
なお、送信装置Ｂ，受信装置ＣをＭＦＰにより構成してもよいし、ファイルサーバ等のサーバ、または、ＰＣ等により構成してもよいことは明らかである。
【図面の簡単な説明】
【０１０５】
【図１】本発明が適用されるデータ通信システムのネットワーク図である。
【図２】実施例１のデータ通信システムを説明するためのブロック図である。
【図３】実施例１によりデータの送受信を行う処理を説明するためのフロー図である。
【図４】パスワード設定機能を付加した場合のデータ通信システムを説明するためのフロー図である。
【図５】ユーザが支払う多機能電子機器及び送信装置の使用料金の支払い比率指定機能を付加した場合のデータ通信システムを説明するためのフロー図である。
【図６】実施例２のデータ通信システムを説明するためのブロック図である。
【図７】実施例２によりデータの送受信を行う処理を説明するためのフロー図である。
【図８】パスワード設定機能を付加した場合のデータ通信システムを説明するためのフロー図である。
【図９】ユーザが支払う多機能電子機器及び受信装置の使用料金の支払い比率指定機能を付加した場合のデータ通信システムを説明するためのフロー図である。
【符号の説明】
【０１０６】
Ａ…多機能電子機器、Ｂ…送信装置、Ｃ…受信装置、ａ…補助機器、ｂ…送信側補助機器、ｃ…受信側補助機器、１…制御手段、１ａ…識別情報生成手段、１ｂ…ネットワークアドレス抽出手段、２…識別情報出力手段、３…パスワード入力手段、４…パスワード受信手段、５…パスワード出力手段、６…識別情報受信手段、１１…通信手段、１２ａ…画像形成装置、１２ｂ…画像読取装置、１３…データ記録用メモリ、１４…記憶媒体接続部、１５…記憶媒体、２１…制御手段、２２…識別情報出力手段、２４…パスワード受信手段、２５…パスワード出力手段、２６…識別情報受信手段、３１…通信手段。
【図１】
0004794366.tif 000002
【図２】
0004794366.tif 000003
【図３】
0004794366.tif 000004
【図４】
0004794366.tif 000005
【図５】
0004794366.tif 000006
【図６】
0004794366.tif 000007
【図７】
0004794366.tif 000008
【図８】
0004794366.tif 000009
【図９】
0004794366.tif 000010